(57)【要約】【課題】施工性や取扱い性が良く、工期の短縮や工費の節減を図ることができ、浮上を防止することもできる雨水槽ユニットを提供する。【解決手段】地中に埋設される雨水槽ユニットであって、底板１と、その上に積重ね部材２を縦横に並べると共に複数段積み重ねて組み立てられた貯水空隙を有する骨格体と、この骨格体の上面を覆う透水性上面シート４と、この骨格体の少なくとも四周側面を覆う被覆シート５と、この被覆シート５を底板１に固定する固定手段６とを備えた構成の雨水槽ユニットとする。ユニットであるため施工性、取扱い性が良く、工期の短縮、工費の節減を図ることができ、底板１が浮上防止板の役割をするので浮上を防止することもできる。【選択図】  図１
2004211316.tif 000002
【特許請求の範囲】
【請求項１】
地中に埋設される雨水槽ユニットであって、底板と、この底板の上に設置された貯水空隙を有する骨格体と、この骨格体の上面を覆う透水性上面シートと、この骨格体の少なくとも四周側面を覆う被覆シートと、この被覆シートを上記底板に固定する固定手段とからなることを特徴とする雨水槽ユニット。
【請求項２】
前記骨格体の上面と四周側面に、透水孔を有する板体が取付けられている請求項１に記載の雨水槽ユニット。
【請求項３】
前記被覆シートが遮水性のシートであって、前記骨格体の四周側面が該シートで覆われており、該シートの下端縁が前記固定手段によって水密的に前記底板に固定されている、雨水貯溜用の請求項１又は請求項２に記載の雨水槽ユニット。
【請求項４】
前記被覆シートが遮水性のシートであって、前記骨格体の四周側面と底面が該シートで覆われている、雨水貯溜用の請求項１又は請求項２に記載の雨水槽ユニット。
【請求項５】
前記被覆シートが透水性のシートである、雨水浸透用の請求項１又は請求項２に記載の雨水槽ユニット。
【請求項６】
前記骨格体の一側面の上部から外方へ突き出す流入口が設けられ、他の一側面の下部から外方へ突き出す取水口が設けられている、請求項３又は請求項４に記載の雨水槽ユニット。
【請求項７】
前記骨格体の一側面の上部から外方へ突き出す流入口が設けられている、請求項５に記載の雨水槽ユニット。
【請求項８】
前記骨格体の上面から上方に突き出す点検口が設けられている、請求項１ないし請求項７のいずれかに記載の雨水槽ユニット。
【請求項９】
前記骨格体が、梁体の裏面に複数の脚を備えた積重ね部材を縦横に並べると共に複数段積み重ねて組み立てられたものである、請求項１ないし請求項８のいずれかに記載の雨水槽ユニット。
【請求項１０】
前記底板の周縁に、吊持用ロープなどの端部を引っ掛けるアイボルト又はフックが設けられている、請求項１ないし請求項９のいずれかに記載の雨水槽ユニット。
【発明の詳細な説明】
【０００１】
【発明の属する技術分野】
本発明は、地中に埋設される施工性の良好な雨水槽ユニットに関する。
【０００２】
【従来の技術】
未舗装の道路や空地が殆どない都市化の進んだ地域では、雨水が地中に浸透することなく側溝等を通じて河川へ流れ込むため、雨季には大量の雨水が河川へ集中し、短時間で河川の容量を越えて、いわゆる都市型洪水を引き起こしている。一方、乾季にはダムや湖の水位が低下して水不足となり、各地で水道水の給水制限が実施されている。
【０００３】
斯かる事情に対処するため、雨水浸透用の雨水槽を地中に設けて、雨水を該雨水槽へ導入したのち地中に徐々に浸透させたり、雨水貯溜用の雨水槽を地中に設けて、該雨水槽に貯溜した雨水を有効利用することが試みられている。
【０００４】
図１２及び図１３は、本出願人が開発した雨水浸透用又は雨水貯溜用の雨水槽の従来例を示す概略断面図であって、図１２は埋設前の状態を、図１３は埋設後の状態を示している。
【０００５】
この雨水槽は、図１２に示すように、地面を掘削して形成した大きい凹空部１００の底に、砕石層１０１と砂層１０２を設けて不陸をなくし、凹空部１００の内側に敷設した被覆シート１０３の上に、多数の積重ね部材１０４を縦横に並べて複数段積み重ね、この積重ね部材１０４の集合体の底面と四周側面を図１３に示すように被覆シート１０３で被覆すると共に、積重ね部材１０４の集合体の上面を透水シート１０５で被覆し、雨水の流入管（不図示）や取水管（不図示）を接続して凹空部１００を土で埋め戻すことにより、上記シート１０３，１０５で被覆された積重ね部材１０４の集合体を地中に埋設したものである。積重ね部材１０４としては、梁体の裏面に複数の脚を取付けた合成樹脂製の積重ね部材が使用され、このような積重ね部材を縦横に並べて複数段積み重ねると、耐圧強度が大きく貯水空隙率が高い積重ね部材の集合体を組み立てることができる。
【０００６】
上記の雨水槽は、被覆シート１０３が透水性のシートであれば雨水浸透用の雨水槽となり、槽内に導入された雨水を透水性の被覆シートを通じて周囲の地中へ徐々に浸透、排水することができる。一方、被覆シート１０３が遮水性のシートであれば雨水貯溜用の雨水槽となり、遮水性の被覆シートの内側に雨水を貯溜することができる。
【０００７】
【発明が解決しようとする課題】
しかしながら、上記の雨水槽は、施工現場で積重ね部材１０４を縦横に並べながら複数段積み重ねて集合体を組み立てるのに手間がかかること、積重ね部材１０４の集合体を被覆シート１０３や透水シート１０５で被覆してシートの継目を溶着するのが面倒であること、等の理由から施工性が良いとは言い難く、かなりの施工日数がかかるという問題があった。
【０００８】
また、上記の雨水槽のように、施工現場で積重ね部材１０４の集合体を組み立ててシートで被覆する場合は、作業上、積重ね部材１０４の集合体の周囲の余掘り量を大きくする必要があるため、積重ね部材１０４の集合体よりもかなり大きい凹空部１００を掘削しなければならず、それに要する費用がかさむという問題もあった。
【０００９】
更に、凹空部１００の底面に不陸があると、積重ね部材１４を整然と積み重ねることができないため、砕石層１０１の上に砂層１０２を設けて不陸をなくす必要があり、それに要する費用も嵩むという問題があった。
【００１０】
また、地下水量の多い場所に上記の雨水槽を埋設すると、槽内の雨水量が少ない場合には、地下水の浮力によって雨水槽が浮上するという問題もあった。
【００１１】
本発明は上記の問題に対処すべくなされたもので、その目的とするところは、施工性や取扱い性が極めて良く、工期の短縮や工費の節減を図ることができ、浮上を防止することもできる雨水槽ユニットを提供することにある。
【００１２】
【課題を解決するための手段】
上記目的を達成するため、本発明の雨水槽ユニットは、地中に埋設されるユニットであって、底板と、この底板の上に設置される貯水空隙を有する骨格体と、この骨格体の上面を覆う透水性上面シートと、この骨格体の少なくとも四周側面を覆う被覆シートと、この被覆シートを上記底板に固定する固定手段とからなることを特徴とするものである。
【００１３】
この雨水槽ユニットは、底板の上に貯水空隙を有する骨格体が設置されて透水性上面シートと被覆シートで被覆されているため、従来のように施工現場で積重ね部材を積み重ねて集合体を組み立てたり被覆シート等で被覆する作業が一切不要となり、余掘り量を少なくすることもできる。そのため、底板より少し大きい開口面積の凹空部を地面に掘削して雨水槽ユニットを設置し、土を埋め戻すだけで極く簡単に埋設施工することができる。そして、凹空部の底面に多少の不陸があっても、底板によって不陸を吸収できるため、従来の不陸調整用の砂層を省略することも可能となる。このように、本発明の雨水槽ユニットは、施工性が極めて良いため工期の短縮や工費の節減を図ることができ、また、ユニットごと運搬、荷降ろし、移動、設置等ができるので取扱い性や作業性も良好である。更に、本発明の雨水槽ユニットは、地中に埋設したときに底板の四周縁が周囲の土に食い込んで浮上防止板の役割を果たすため、地下水の浮力等を受けても浮上する心配がない。
【００１４】
本発明の雨水槽ユニットにおいては、骨格体の上面と四周側面に通水孔を有する板体を取付けることが望ましい。このようにすると、骨格体上面の板体によって上方からの土圧や荷重が受け止められると共に、四周側面の板体によって周囲からの土圧が受け止められるため、透水性上面シートや被覆シートを破って土砂が槽内へ侵入するのを阻止することができる。
【００１５】
本発明の雨水槽ユニットは、被覆シートが遮水性であるか透水性であるかによって、雨水貯溜用のユニットにも雨水浸透用のユニットにもなるものである。即ち、被覆シートとして遮水性のシートを用いて骨格体の四周側面を被覆すると共に、該シートの下端縁を前記の固定手段で水密的に底板に固定すれば、雨水貯溜用の雨水槽ユニットになり、遮水性の被覆シートと底板とで囲まれた槽内空間に雨水を貯溜することができる。また、被覆シートとして遮水性のシートを用いて骨格体の四周側面と底面を被覆する場合も、雨水貯溜用の雨水槽ユニットになり、この四周側面と底面を被覆する遮水性の被覆シートで囲まれた槽内空間に雨水を貯溜することができる。これに対し、被覆シートとして透水性のシートを用いると雨水浸透用の雨水槽ユニットになり、槽内に導入された雨水を透水性の被覆シートを通じて周囲の土中に浸透、排水することができる。
【００１６】
上記の雨水貯溜用の雨水槽ユニットでは、骨格体の一側面の上部から外方へ突き出す流入口を設け、他の一側面の下部から外方へ突き出す取水口を設けることが望ましい。このようにすると、地面に掘った凹空部に雨水槽ユニットを設置してから雨水導入管と取水管を簡単に接続できるので、施工性が更に向上する。
【００１７】
また、上記の雨水浸透用の雨水槽ユニットでは、骨格体の一側面の上部から外方へ突き出す流入口を設けることが望ましく、このようにすると、地面に掘った凹空部に雨水槽ユニットを設置してから雨水の流入管を簡単に接続できるので、施工性が一層向上する。
【００１８】
また、本発明の雨水槽ユニットにおいては、骨格体の上面から上方に突き出す点検口を設けることが望ましく、このようにすると、点検口から槽内を目視したり、点検用カメラを挿入するなどして、槽内の点検を簡単に行うことができる。
【００１９】
また、本発明の雨水槽ユニットにおける骨格体は、梁体の裏面に複数の脚を備えた積重ね部材を縦横に並べると共に複数段積み重ねて組み立てたものであることが望ましく、このような多数の積重ね部材からなる骨格体は、組立て作業が簡単で、耐圧強度が大きく、貯水空隙率が高いという利点を有する。
【００２０】
また、本発明の雨水槽ユニットにおいては、底板の周縁に、吊持用ロープなどの端部を引っ掛けるアイボルト又はフックを設けることが望ましく、このようにすると、アイボルト又はフックに吊持用ロープの端部を引っ掛けて、トラックへの積み降ろし作業や、地面の凹空部への設置作業を、簡単に行うことができる。
【００２１】
【発明の実施の形態】
以下、図面を参照して、本発明の具体的な実施形態を詳述する。
【００２２】
図１は本発明の一実施形態に係る雨水槽ユニットの一部破断斜視図、図２は同ユニットの概略横断面図、図３は図２の円で囲んだ部分の拡大図、図４は同ユニットの骨格体を構成する積重ね部材の斜視図、図５は同積重ね部材への板の取付け方を示す部分斜視図、図６は同積み重ね部材の相互の連結の仕方を示す部分斜視図、図７は同ユニットの代表的な施工態様を示す概略断面図、図８は同ユニットを吊り下げて地面の凹空部に設置するときの説明図である。
【００２３】
この雨水槽ユニットは、図１，図２に示すように、底板１と、この底板１の上に多数の積重ね部材２を縦横に並べると共に複数段積み重ねて組み立てられた貯水空隙を有する骨格体と、この骨格体の上面及び四周側面に取付けられた板体３と、この骨格体の上面を覆う透水性上面シート４と、この骨格体の四周側面を覆う被覆シート５と、この被覆シート５の下端縁を底板１に固定するＬ形アングル材等の固定手段６とからなる。
【００２４】
底板１は、例えばＳＭＣ（シートモールディングコンパウンド）や廃プラスチック再生原料などで成形された剛性が高い厚肉の方形板であって、積重ね部材２で組み立てられた骨格体の面積より少し大きい面積の底板１が使用されており、その四周縁が骨格体から外側へはみ出している。底板１の四周縁のはみ出し寸法は１０〜５０ｃｍ程度であることが好ましく、１０ｃｍ未満では、土中に埋設したときの底板１による浮上防止効果が不充分になる恐れがあり、５０ｃｍを越えると、地面に掘削される凹空部８（図８参照）の余掘り量が多くなって工費が嵩むという不都合を生ずる。
【００２５】
この底板１の相対向する長辺沿いには、アイボルト１ａが二本ずつ取付けられている。このアイボルト１ａは、図８に示すように吊持用ロープ７の端部を引っ掛けて雨水槽ユニットを持ち上げ、凹空部８への設置作業やトラックへの積み降ろし作業をし易くするものである。なお、このアイボルト１ａに代えてフックを取付けてもよい。
【００２６】
底板１の上に設置された骨格体を構成する積重ね部材２は、図４に示すようにポリプロピレン等の合成樹脂で射出成形された正方形の梁体２ａと円筒形の脚２ｂからなるもので、梁体２ａには、脚２ｂを上下から嵌合できる複数（図４では９つ）の嵌合穴２ｃが均等に分散、配列して形成されており、これらの嵌合穴２ｃには脚２ｂの上端部が下方から嵌着されている。そして、この梁体２ａには、軽量化と材料の節約を図るために、複数（図４では１２）の大きい貫通穴２ｄが形成されており、また、梁体２ａの四辺には、後述するＨ形の連結駒の片側部分を挿入できる駒受部２ｅが２箇所ずつ形成されている。更に、この梁体２ａの四隅の近くには、後述するように板体３を取付けるための凹部２ｆ，２ｇが４箇所ずつ形成されている。
【００２７】
上記の積重ね部材２は、底板１の上で縦横（前後左右）に並べられ、図６に示すように、互いに隣接する積重ね部材２，２のＨ形に合体された駒受部２ｅ，２ｅにＨ形の連結駒２ｈを上方から挿入することによって、分離しないように且つ位置ズレしないように連結される。そして、この一段目の積重ね部材２の上に二段目の積重ね部材２を積み重ねて、その脚２ｂの下端部を一段目の積重ね部材２の梁体２ａの嵌合穴２ｃに嵌合すると共に、縦横に隣接する積重ね部材２の梁体２ａ同士を上記の連結駒２ｈで連結し、同じ要領で積重ね部材２を数段（図１、図２では４段）積み重ねることによって、直方体形状の骨格体が組み立てられている。この骨格体は、各積重ね部材２の脚２ｂと脚２ｂとの間が貯水空隙となっており、貯水空隙率が高いために大量の雨水を溜めることが可能である。
【００２８】
なお、骨格体は積重ね部材２を組み立てたものに限らず、例えば、貯水空隙を備えた耐圧強度の大きい単一の三次元立体網目構造の骨格体等を底板１の上に設置してもよい。
【００２９】
積重ね部材２で組み立てた骨格体の上面と四周側面に取付けられる板体３は、上方からの土圧（荷重）や周囲からの土圧を受け止める役割を果たすものであって、積重ね部材２と同様のポリプロピレン等の合成樹脂で射出成形されている。この板体２には、図５に示すように多数の通水孔３ａが形成されており、また、板体３の四隅の近くにはＬ形の突片３ｂと切欠凹部３ｃが形成されている。そして、骨格体の上面に重ねた板体３の上記突片３ｂを積重ね部材２の凹部２ｇに嵌込むと共に、積重ね部材２の集合体の側面に重ねた板体３の上記突片３ｂを、上面の板体３の切欠凹部３ｃを通して積重ね部材２の凹部２ｆに係止させることによって、位置ズレしないように板体３が骨格体の上面と四周側面に取付けられている。
【００３０】
積重ね部材２で組み立てられた骨格体の上面を覆う透水性上面シート４は、該骨格体への土砂の侵入を阻止して雨水のみを浸透、導入する役割を果たすものであり、耐蝕性の良好な合成樹脂の織布や不織布が使用される。
【００３１】
一方、積重ね部材２で組み立てられた骨格体の四周側面を覆う被覆シート５は、雨水槽ユニットが雨水貯溜用であるか雨水浸透用であるかによって、遮水性のシートと透水性のシートが使い分けられる。この実施形態の雨水槽ユニットは雨水貯溜用のユニットであるので、被覆シート５として合成樹脂シートやゴムシートなどの遮水性のシートを用いて骨格体の四周側面を被覆し、この遮水性の被覆シート５の内側に雨水を貯溜できるようにしている。
【００３２】
遮水性の被覆シート５は、可撓性を有する柔軟なシートでもよいが、図２に示すように、シート上端縁５ａを内側へ直角に折曲すると共に、シート下端縁５ｂを外側へ直角に折曲した形状を有する、剛性のある合成樹脂の成形シートが好ましく使用される。このような成形シートを使用すると、被覆作業が容易になり、固定手段６によるシート下端縁５ｂの固定作業もし易くなるという利点がある。この被覆シート５の上端縁５ａは、溶着や接着の手段によって透水性上面シート４の端縁と接合されている。
【００３３】
被覆シート５の下端縁５ｂを固定する固定手段６は、図３に示すように、Ｌ形のアングル材６ａと、ボルト６ｂ及びナット６ｃと、止水材６ｄからなるものであって、図示のように、シート下端縁５ｂを押さえるＬ形のアングル材６ａとシート下端縁５ｂとの間、及び、シート下端縁５ｂと底板１との間に、止水材６ｄ，６ｄをそれぞれ挟み込み、底板１の下方からボルト６ｂをアングル材６ａの上面まで挿通してナット６ｃで締め付けることにより、シート下端縁５ｂを水密的に底板１に固定している。
【００３４】
なお、雨水浸透用の雨水槽ユニットとする場合は、被覆シート５として前述の透水性上面シート４と同様の透水性のシートを使用して骨格体の四周側面を被覆し、止水材６ｄを省略してシート下端縁をアングル材６ａとボルト６ｂ及びナット６ｃで底板１に固定すればよい。
【００３５】
次に、図７，図８を参照して、上述した雨水貯溜用の雨水槽ユニットの代表的な施工態様と、施工要領を説明する。
【００３６】
まず、図８に示すように、吊持用ロープ７の端部のフックを底板１のアイボルト１ａに引っ掛けて雨水槽ユニットを吊り上げ、地面に掘った凹空部８の底の砕石層８ａの上に設置する。このように砕石層８ａの上に不陸調節用の砂層を設けないで雨水槽ユニットを直接設置しても、雨水層ユニットの底板１が砕石層８ａの多少の不陸を吸収するので、設置安定性が損なわれる心配はない。また、このように雨水槽ユニットを設置すると、従来のように凹空部８の内部で積重ね部材２を組み立てる作業や、被覆シート５等で該積重ね部材を覆う作業が一切不要となるので、設置作業を極めて簡単且つ短時間で行うことが可能となり、しかも、底板１より少し大きい開口面積の凹空部８を掘削すればよいので、従来に比べて余掘り量を少なくすることが可能となる。
【００３７】
雨水槽ユニットの設置が終わると、吊持用ロープ７を除去し、図７に示すように、骨格体の一側面の上部から板体３と被覆シート５を貫通して外方へ突き出す流入口９を設けると共に、該骨格体の他の側面の下部から板体３と被覆シート５を貫通して外方へ突き出す取水口１０を設ける。そして、雨水槽ユニットの片側に設置された泥溜桝１１に上記の流入口９を直接又は導入短管を介して接続すると共に、雨水槽ユニットの反対側に設置された取水用の溜桝１２に上記の取水口１０を直接又は取水短管を介して接続し、泥溜桝１１に雨水導入管１３を接続する。また、取水用の溜桝１２の底には取水ポンプ１４を設置し、この取水ポンプ１４に接続された取水管１５を地上に引き出すと共に、溜桝１２の上部にオーバーフロー管１６を接続する。そして、骨格体の上面から板体３と透水性上面シート４を貫通して上方へ突き出す点検口１７を設け、土砂が入らないように該点検口１７に蓋を被せて、土砂を凹空部８に埋め戻すと、雨水槽ユニットの埋設施工が完了する。
【００３８】
尚、流入口９、取水口１０、点検口１７は、予め、積重ね部材２で組み立てられた骨格体から外方へ突設しておくことが好ましく、そのようにすると、埋設施工現場でこれらを設ける作業が不要となるので、施工性が一層向上する利点がある。
【００３９】
上記のように雨水槽ユニットを埋設施工すると、骨格体上面の板体３によって上方からの土圧や荷重が受け止められると共に、四周側面の板体３によって周囲からの土圧が受け止められるため、透水性上面シート４や被覆シート５を破って土砂が槽内へ侵入するのを阻止することができる。
【００４０】
そして、地面に降った雨水は透水性上面シート４と上面の板体３の通水孔３ａを通って槽内へ入り、屋根などに降った雨水は雨水導入管１３から泥溜桝１１に流れ込んで泥が除去された後、流入口９から槽内へ流入する。このように流入した雨水は、遮水シート５によって槽外への浸透が阻止され、骨格体を構成する積重ね部材２の脚２ｂと脚２ｂとの間の貯水空隙に貯溜されると共に、溜桝１２の内部にも貯溜される。従って、取水ポンプ１４を作動させると、貯溜された雨水が取水管１５を通って地上に送水されるので、洗車等に有効利用することができる。また、大量の雨水が一度に槽内に流入した場合は、オーバーフロー管１６から排水される。
【００４１】
更に、槽内の点検は、点検口１７から槽内を直接目視したり、点検用カメラを挿入して簡単に行うことができ、また、底板１の四周縁が周囲の土に食い込んで浮上防止板の役割を果たすため、地下水の浮力等を受けても浮上する心配はない。
【００４２】
図９は、本発明の他の実施形態に係る雨水槽ユニットの施工態様を示す概略断面図である。
【００４３】
この雨水槽ユニットは、前記の雨水槽ユニットのように泥溜桝１１を槽外に設置しないで、槽内に泥溜桝１１を設けた点が異なっている。即ち、骨格体を構成する積重ね部材２のうち、縦一列に積み重ねられた複数（図９では３つ）の積重ね部材２を取り出し、その取り出した部分に通水孔１１ａが形成された泥溜桝１１を挿入すると共に、該泥溜桝１１の上端開口を地面に露出させて蓋を被着し、雨水導水管１３を該泥溜桝１１に接続している。従って、この雨水槽ユニットでは、雨水導水管１３から泥溜桝１１に流入した雨水に含まれる土砂が泥溜桝１１の底に沈降分離され、土砂を含まない澄んだ雨水が通水孔１１ａから槽内へ流出して貯溜される。
【００４４】
この雨水槽ユニットの他の構成は前記の雨水槽ユニットと同様であるので、図９において同一部材に同一符号を付し、説明を省略する。
【００４５】
上記のような雨水槽ユニットは、泥溜桝１１を槽内に設けた分だけ施工面積を縮小することができるので、宅地があまり大きくない場合に有利である。
【００４６】
図１０は、本発明の更に他の実施形態に係る雨水槽ユニットの概略横断面図、図１１は図１０の円で囲んだ部分の拡大図である。
【００４７】
この雨水槽ユニットは、積重ね部材２で組み立てられた骨格体の四周側面と底面を遮水性の被覆シート５で被覆すると共に、この被覆シート５の底部と側部下端を固定手段６で底板１に固定した点で、前記の雨水槽ユニットと異なっている。被覆シート５は柔軟なシートでもよいが、上面が開口する直方体形状に成形された剛性のある合成樹脂の成形シートを用いることが好ましく、このような成形シートを用いると、その内部に積重ね部材２を縦横に並べて複数段積み重ねることにより、骨格体の組立作業と、成形シートによる該骨格体の被覆作業を同時に行える利点がある。
【００４８】
被覆シート５の側部下端を固定する固定手段６は、図１１に示すように、Ｌ形のアングル材６ａと、ボルト６ｂ及びナット６ｃと、Ｌ形の合成樹脂製の帯体６ｅからなるものであって、図示のように、Ｌ形の帯体６ｅを被覆シート５の側部下端に溶着等の手段で固着すると共に、該帯体６ｅをＬ形のアングル材６ａで押え、ボルト６ｂを底板１の下方からアングル材６ａの上面まで挿通してナット６ｃで締め付けることにより底板１に固定している。
【００４９】
また、被覆シート５の底部を固定する固定手段６は、図１０に示すように、帯状の押え板６ｆと、ボルト６ｂ及びナット６ｃと、止水材（不図示）とからなるものであって、被覆シート５の底部と押え板６ｆとの間に止水材を挟み込み、ボルト６ｂを底板１の下方から押え板６ｆの上面まで挿通してナット６ｃで締め付けることにより底板１に水密的に固定している。
【００５０】
この雨水槽ユニットの他の構成は、前記の雨水槽ユニットと同様であるので、図１０，図１１において同一部材に同一符号を付し、説明を省略する。
【００５１】
上記のように被覆シート５の底部と側部下端を固定手段６で固定した雨水槽ユニットは、被覆シート５と底板１の固定強度が大きいため、地中水による大きい浮力を受けた場合でも、被覆シート５が骨格体と共に底板１から分離して浮上する心配はない。
【００５２】
以上、雨水貯溜用の雨水槽ユニットの代表的な実施形態を挙げて本発明を説明したが、雨水浸透用の雨水槽ユニットとする場合は、取水口１１、溜桝１２、取水ポンプ１４、取水管１５等が不要であることは言うまでもない。
【００５３】
【発明の効果】
以上の説明から明らかなように、本発明の雨水槽ユニットは、施工現場で積重ね部材を積み重ねて骨格体を組み立てたり被覆シート等で被覆する作業が一切不要となり、余掘り量を少なくできる上に、不陸調整用の砂層も省略できるため、埋設施工性が大幅に向上し、工期の短縮や工費の節減を図ることができるといった効果を奏する。そして、ユニットごと運搬、荷降ろし、移動、設置等ができるので、取扱い性、運搬性、作業性等が大幅に向上し、また、底板によって浮上を防止できるといった効果も奏する。
【図面の簡単な説明】
【図１】本発明の一実施形態に係る雨水槽ユニットの一部破断斜視図である。
【図２】同ユニットの概略横断面図である。
【図３】図２の円で囲んだ部分の拡大図である。
【図４】同ユニットの骨格体を構成する積重ね部材の斜視図である。
【図５】同積重ね部材への板の取付け方を示す部分斜視図である。
【図６】同積み重ね部材の相互の連結の仕方を示す部分斜視図である。
【図７】同ユニットの代表的な施工態様を示す概略断面図である。
【図８】同ユニットを吊り下げて地面の凹空部に設置するときの説明図である。
【図９】本発明の他の実施形態に係る雨水槽ユニットの施工態様を示す概略断面図である。
【図１０】本発明の更に他の実施形態に係る雨水槽ユニットの概略横断面図である。
【図１１】図１０の円で囲んだ部分の拡大図である。
【図１２】雨水槽の従来例を示す概略断面図であって、埋設前の状態を示すものである。
【図１３】雨水槽の従来例を示す概略断面図であって、埋設後の状態を示すものである。
【符号の説明】
１  底板
１ａ  アイボルト
２  積重ね部材
２ａ  梁体
２ｂ  脚
３  板体
３ａ  通水孔
４  透水性上面シート
５  被覆シート
６  固定手段
７  吊持用ロープ
８  凹空部
９  流入口
１０  取水口
１７  点検口
【図１】
2004211316.tif 000003
【図２】
2004211316.tif 000004
【図３】
2004211316.tif 000005
【図４】
2004211316.tif 000006
【図５】
2004211316.tif 000007
【図６】
2004211316.tif 000008
【図７】
2004211316.tif 000009
【図８】
2004211316.tif 000010
【図９】
2004211316.tif 000011
【図１０】
2004211316.tif 000012
【図１１】
2004211316.tif 000013
【図１２】
2004211316.tif 000014
【図１３】
2004211316.tif 000015